(57)【要約】【課題】  空気中に浮遊する有害物質を効率良く無毒化して除去できるとともに、保守が容易な空気浄化装置を提供する。【解決手段】  空気流路内に、通気性と液体浸透性を有する第１の湿式フィルタ部材６と第２の湿式フィルタ部材７とが隙間１８をあけて配置され、第１の湿式フィルタ部材６の上方には、当該フィルタ部材６の上面に前記空気流路内に取り込まれた外部の空気に含まれる有害物質と反応してこれを無害化する処理液を供給するための処理液供給部１３が設けられているとともに、第１の湿式フィルタ部材６の下方から第２の湿式フィルタ部材７の下方に亘って、これらのフィルタ部材６、７の下端面に滲出して落下する処理液を回収するための、上端が開放された処理液槽１６が設けられている。【選択図】  図２
2011072718.tif 000002
【特許請求の範囲】
【請求項１】
送風手段により空気流路内に導入された外部の空気を、前記空気流路内に組み込まれた濾過フィルタを通過させて浄化するようにした空気浄化装置であって、
前記濾過フィルタは、少なくとも前記空気流路前端に開口する入口寄りに、空気が通過する前後両面を垂直にして配置された、通気性と液体浸透性を有する第１の湿式フィルタ部材と、空気が通過する前後両面を垂直にして、前面が、第１の湿式フィルタ部材の後面と隙間をあけて対向するように配置された、通気性と液体浸透性を有する第２の湿式フィルタ部材から構成され、
第１の湿式フィルタ部材の上方には、当該フィルタ部材の上端面に前記空気流路内に取り込まれた外部の空気に含まれる有害物質と反応してこれを無害化する処理液を供給するための処理液供給部が設けられているとともに、第１の湿式フィルタ部材の下方から第２の湿式フィルタ部材の下方に亘って、これらのフィルタ部材の下端面に滲出して落下する処理液を回収するための、上端が開放された処理液槽が設けられていることを特徴とする空気浄化装置。
【請求項２】
第１の湿式フィルタ部材は、その前面寄りの部分に少なくとも一層の処理液拡散層が当該フィルタ部材の前面と平行な断面全体に亘って挟み込まれた積層体として構成され、処理液供給部は、第１の湿式フィルタ部材の上端面に露出した前記処理液拡散層に処理液を供給し、前記拡散層を介して当該フィルタ部材全体に処理液が拡散・浸透するように構成されていることを特徴とする請求項１記載の空気浄化装置。
【請求項３】
送風手段は、空気流路の濾過フィルタ下流側に配置されて、前記空気流路内の空気を吸引して外部に排出する送風機であって、
前記送風機は送風機ハウジング内部に収容されているとともに、当該送風機ハウジングには、前記空気流路内の第１の湿式フィルタ部材後面と第２の湿式フィルタ部材前面との隙間に温風供給ダクトを介して連通する温風排出孔と、外部の空気を取り入れるための吸気孔が設けられ、
稼働時に送風機のモータの発熱によって温められた送風機ハウジング内の空気が、前記温風供給ダクトを介して前記隙間内に吸い込まれるように構成されていることを特徴とする請求項１又は２に記載の空気浄化装置。
【請求項４】
濾過フィルタは、空気流路内の第２の湿式フィルタ部材の後方に配置された、少なくとも一つの乾式フィルタ部材を含んでいることを特徴とする請求項１乃至３の何れかに記載の空気浄化装置。
【発明の詳細な説明】
【技術分野】
【０００１】
本発明は、空気浄化装置に関し、特に、ホルマリンのような水溶性有害物質のミストを含んだ空気を浄化するために好適な空気浄化装置に関する。
【背景技術】
【０００２】
従来より、空気中に浮遊する塵埃や微生物等の微細物質を除去して空気を清浄化するために、活性炭等を用いた乾式フィルタに空気を通過させて微細物質を濾過する構造の空気浄化装置や、空気を水と接触させて、空気中に浮遊する微細物質を水側に移行させて除去する構造の空気浄化装置、あるいは、これらの両方の構造を併せ持つ空気浄化装置が種々提案されている。
【０００３】
例えば、特許文献１に記載されている「空気清浄装置」は、臨海地域の半導体工場等において海風に含まれるナトリウムイオンを除去するものであり、充填材にその上方からスプレーにより純水を散布するとともに、当該充填材の下方から外部の空気を導入し、この空気と純水とを充填材内部を通過させる過程で、空気に含まれるナトリウムイオンを純水側に移行させて、空気を清浄化するようにした湿式スクラバー処理装置と、プレフィルタ−、中性能フィルター、ＨＥＰＡフィルタからなる乾式フィルタ装置とを備えて、導入空気を湿式スクラバー処理装置と乾式フィルタ装置に順に流通させて清浄化している。
【０００４】
また、特許文献２に記載されている「空気清浄機」においては、空気散水部から散水されて湿潤されたフィルタシートを回転させ、外部から導入された空気の中に浮遊する粗塵をこのフィルタシートに捕捉させるようにした湿式フィルタ部と、その下流側に配置した乾式フィルタ部とを組み合わせて導入空気を清浄化するようにしている。
【先行技術文献】
【特許文献】
【０００５】
【特許文献１】特開平７−９６１２６号公報
【特許文献２】特開２０００−１２６５３４号公報
【発明の概要】
【発明が解決しようとする課題】
【０００６】
例えば、解剖室や病理研究室のように、殺菌のために人体に有害なホルマリンを使用するする環境においては、ホルマリンのミストが室内に浮遊するため、これを除去する必要がある。
【０００７】
しかしながら、前述したような、空気と水とを接触させることによって、空気中に含まれる微細な浮遊物質を物理的に水に吸着させることで、空気を清浄化を行うようにした従来の空気浄化装置では、空気中からホルマリンのような有害物質を除去することは困難であり、ホルマリンが溶け込んだ水が蒸発すると回収したホルマリンが再び室内の空気中に流出してしまう問題もあった。
【０００８】
一方、添着活性炭等の乾式フィルタで空気を濾過することにより、空気中に含まれるホルマリンを除去することも従来から行われているが、フィルタの交換を頻繁に行う必要があり、保守やフィルタ交換の費用が嵩む問題があった。
【０００９】
そこで、本発明は、前述したような従来技術における問題点を解消し、空気中に浮遊する有害物質を効率良く無毒化して除去できるとともに、保守が容易な空気浄化装置を提供することを目的とする。
【課題を解決するための手段】
【００１０】
前記目的のために提供される本発明の空気浄化装置は、送風手段により空気流路内に導入された外部の空気を、前記空気流路内に組み込まれた濾過フィルタを通過させて浄化するようにしたものであって、前記濾過フィルタは、少なくとも前記空気流路前端に開口する入口寄りに、空気が通過する前後両面を垂直にして配置された、通気性と液体浸透性を有する第１の湿式フィルタ部材と、空気が通過する前後両面を垂直にして、前面が、第１の湿式フィルタ部材の後面と隙間をあけて対向するように配置された、通気性と液体浸透性を有する第２の湿式フィルタ部材から構成され、第１の湿式フィルタ部材の上方には、当該フィルタ部材の上端面に前記空気流路内に取り込まれた外部の空気に含まれる有害物質と反応してこれを無害化する処理液を供給するための処理液供給部が設けられているとともに、第１の湿式フィルタ部材の下方から第２の湿式フィルタ部材の下方に亘って、これらのフィルタ部材の下端面に滲出して落下する処理液を回収するための、上端が開放された処理液槽が設けられていることを特徴としている。
【００１１】
本発明の空気浄化装置においては、第１の湿式フィルタ部材は、その前面寄りの部分に少なくとも一層の処理液拡散層が当該フィルタ部材の前面と平行な断面全体に亘って挟み込まれた積層体として構成され、処理液供給部は、第１の湿式フィルタ部材の上端面に露出した前記処理液拡散層に処理液を供給し、前記拡散層を介して当該フィルタ部材全体に処理液が拡散・浸透するように構成されていることが望ましい。
【００１２】
また、本発明の空気浄化装置においては、送風手段は、空気流路の濾過フィルタ下流側に配置されて、前記空気流路内の空気を吸引して外部に排出する送風機であって、前記送風機は送風機ハウジング内部に収容されているとともに、当該送風機ハウジングには、前記空気流路内の第１の湿式フィルタ部材後面と第２の湿式フィルタ部材前面との隙間に温風供給ダクトを介して連通する温風排出孔と、外部の空気を取り入れるための吸気孔が設けられ、稼働時に送風機のモータの発熱によって温められた送風機ハウジング内の空気が、前記温風供給ダクトを介して前記隙間内に吸い込まれるように構成されていることも望ましい。
【００１３】
さらに、濾過フィルタは、空気流路内の第２の湿式フィルタ部材の後方に配置された、少なくとも一つの乾式フィルタ部材を含んでいることも望ましい。
【発明の効果】
【００１４】
請求項１に記載された発明に係る空気浄化装置によれば、処理液供給部から第１の湿式フィルタ部材の上面に供給された処理液は当該フィルタ部材に浸透し、送風手段により空気流路内に導入された外部の空気がこのフィルタを通過する際に、当該空気に含まれる有害物質を第１の湿式フィルタ部材中浸透した処理液と化学反応させることにより速やかに無害化することができる。
【００１５】
そして、処理液と反応で生じた無害な生成物や余剰の処理液は、重力によって第１の湿式フィルタ部材内を下方に移動し、当該フィルタ部材の下面から下方の処理液槽に回収される。また、第１の湿式フィルタ部材の後面側へ滲出した余剰の処理液も、その垂直な面を伝わって処理液槽へ落下して回収される。
【００１６】
また、第１の湿式フィルタ部材の後面と隙間をあけて前面が対向するように配置された第２の湿式フィルタ部材により、第１の湿式フィルタ部材を通過した空気に含まれる処理液や反応生成物のミストが第２の湿式フィルタ部材を通過する際にここで捕捉され、第２の湿式フィルタ部材内を重力によって下方へ移動して、その下面から処理液水槽内へ落下して回収される。
【００１７】
したがって、第２の湿式フィルタ部材を通過させることで、空気に含まれる処理液を可及的に除去することができる。
【００１８】
また、請求項２に記載された発明に係る空気浄化装置によれば、処理液拡散層が処理液供給部から供給される処理液を第１の湿式フィルタ部材の前面と平行な断面全体に亘って均一且つ速やかに拡散させるため、フィルタ部材を通過する空気中に含まれる有害物質をより確実且つ効率的に除去することができる。
【００１９】
また、請求項３に記載された発明に係る空気浄化装置によれば、送風機を送風機ハウジングの内部に収容したことにより、装置の稼働時に発生する騒音を低減することができる。
【００２０】
また、空気流路内の第１の湿式フィルタ部材後面と第２の湿式フィルタ部材前面との隙間に、送風機が発生する負圧を利用して、前記送風機のモータの発熱によって温められた送風機ハウジング内の空気を前記隙間内に導入するようにしているため、第１の湿式フィルタ部材を空気が通過する際に、処理液と接触して上昇した湿度を低下させることができるとともに、吸気孔から送風機ハウジング内に外部の空気を流入させて送風機のモータを冷却することができる。
【００２１】
さらに、請求項４記載の発明に係る空気浄化装置によれば、第２フィルタ部材の後方に少なくとも一つの乾式フィルタを備えているため、第２フィルタ部材を出た空気に残留する僅かな湿気や有害物質をより完全に除去することができる。
【図面の簡単な説明】
【００２２】
【図１】本発明に係る空気浄化装置の１実施形態を示す平面図である。
【図２】図１のＡ−Ａ断面を示す縦断面図である。
【図３】第１の湿式フィルタ部材と、当該湿式フィルタ部材へ処理液を供給する処理液供給部の概略構造を示す斜視図である。
【図４】第１の湿式フィルタ部材の内部構造を示す縦断面図である。
【発明を実施するための形態】
【００２３】
以下、本発明の実施形態について図面を参照して説明する。図１は、本発明の空気浄化装置の１実施形態を示す平面図、図２は、図１のＡ−Ａ断面を示す縦断面図であって、これらの図に示す空気浄化装置１は、解剖室や病理研究室のような殺菌にホルマリンを使用する室内の空気浄化に好適な装置であって、複数の濾過フィルタを内蔵したフィルタハウジング２と、送風機３（送風手段）を内蔵する送風機ハウジング４を備えている。
【００２４】
フィルタハウジング２は、その前端に外部の空気を取り込むための入口２Ａが設けられており、また、後端には、送風機３の吸気口と連結管５で連結されている出口２Ｂが設けられている。
【００２５】
フィルタハウジング２内には、入口２Ａと出口２Ｂとの間を連通する空気流路が形成されており、送風機３によって出口２Ｂ側からその内部の空気を吸引することにより、入口２Ａからフィルタハウジング２内に流入した外部の空気が、前記空気流路の途中に配置された複数の濾過フィルタを通過する過程で、その中に含まれる有害物質や塵埃が除去されるようになっている。
【００２６】
これらの濾過フィルタは、本実施形態のものにおいては、空気流路の入口２Ａ寄りに空気が通過する前後両面を垂直にして配置された第１の湿式フィルタ部材６、その後方に、同じく配置された第２の湿式フィルタ部材７、さらにその後方に配置された、乾式フィルタ部材８、９から構成されている。
【００２７】
図３及び図４に示すように、第１の湿式フィルタ部材６は、フィルタハウジング２の内側に形成される横断面矩形状の空気流路に適合する矩形状のフィルタ枠６Ａ内に収容されている。なお、この実施形態のものにおいては、フィルタ枠６Ａの前後両面には、金網６Ｂが張られていて、湿式フィルタ部材６をフィルタ枠６Ａ内に保持している。
【００２８】
フィルタ枠６Ａは、図２に示すように、フィルタハウジング２の内側上下に設けられたレール状のフィルタ保持部１０によって保持されている。また、図示していないが、フィルタハウジング２の一方の側壁には、図１に示す着脱自在な蓋１１によって密閉される開口部が形成されていて、蓋１１を取り外すことにより、使用済みの第１のフィルタ部材６を、フィルタ枠６Ａとともにフィルタハウジング２の側方に抜き出し、新しいものと交換できるようになっている。
【００２９】
また、図３に示すように、フィルタ枠６Ａの後側の周面全体に亘って、シール部材６Ｃが接着されている。フィルタ枠６Ａは、図２に示すように、上下のフィルタ保持部１０によって保持されているときに、図示しない押付機構によって、前記シール部材６Ｃが、これと対向するようにフィルタハウジング２の内壁全周に亘って設けられているフィルタ枠受部１２の前面に押し当てられて、フィルタ枠６Ａの外周面とフィルタハウジング２内壁面との間が密封されるようになっている。
【００３０】
図４に示すように、第１の湿式フィルタ部材６は、フィルタ層６Ｄの間に処理液拡散層６Ｅを挟み込んだ積層体として構成されている。処理液拡散層６Ｅは、第１の湿式フィルタ部材６の前面寄りの部分のフィルタ層６Ｄ内に、前面と平行な断面全体に亘って挟み込まれている。
【００３１】
この実施形態のものにおいては、フィルタ層６Ｄには、ポリエステルやポリイミド、ガラス繊維等のように、通気性と液体浸透性を有する不織布が用いられている。
一方、処理液拡散層６Ｅは、薄手の発泡ポリウレタン等からなるスポンジシートの前面側から後面側の一部をガーゼで包み込んで形成し、フィルタ層６Ｄと同様な通気性や液体浸透性が得られるようにするとともに、一部分に浸透した水分を速やかに全体に拡散する効果を高めている。
【００３２】
処理液拡散層６Ｅは、その上端がフィルタ枠６Ａの上辺の横断方向全幅に亘って形成されている受溝６Ｆの底部長手方向に開口するスリット６Ｇの真下に対向する位置に設けられている。
【００３３】
一方、フィルタハウジング２内には、前記受溝６Ｆの真上位置に、処理液供給部としての給液ノズル管１３が水平に設けられている。この給液ノズル管１３は、図３に示すように、フィルタ枠６Ａの上辺に設けられている受溝６と略同一長さに形成されていてその両端部は閉塞されている。
【００３４】
また、給液ノズル管１３の下部には、図４に示すように、その長手方向に一定間隔で複数のノズル孔１３Ａが開口している。給液ノズル管１３の長手方向中央位置前側には、給液管１４の一方の端部が連結されている。
【００３５】
図１及び図２に示すように、給液管１４の他方の端部は、フィルタハウジング２の前端側下部の床面上に設置されているポンプ１５の吐出側に連結されている。一方、フィルタハウジング２の底部の前方寄りの部分には、上面が開放されている処理液槽１６が設けられている。
【００３６】
この処理液槽１６には処理液を貯留されており、本実施形態においては、処理液として、濃度０．１２モル〜０．１５モルの亜硫酸ナトリウム水溶液が用いられている。処理液槽１６には、図１に示す給液管１７の一方の端部が連結され、またその他方の端部は、ポンプ１５の吸入側に連結されている。
【００３７】
このような構造により、前記ポンプ１５を稼働させると、処理液槽１６内に貯留されている処理液は、給液管１７を通してポンプ１５に吸い込まれ、ここから給液管１４を通して給液ノズル管１３に供給されて、その長手方向に並んだ複数のノズル孔１３Ａから図３に示すようにフィルタ枠６Ａの受溝６Ｆ内に流出する。
【００３８】
受溝６Ｆに入った処理液は、スリット６Ｇを通って処理液拡散層６Ｅの上端に供給されるが、処理液拡散層６Ｅに到達した処理液は、層全体に亘って速やかに拡散浸透し、ここからさらに、その前後両面に接しているフィルタ層６Ｄへ浸透していく。
【００３９】
先に述べたように、第１の湿式フィルタ部材６を構成しているフィルタ層６Ｄには、通気性と液体浸透性に優れた不織布が用いられているから、送風機３を稼働させてフィルタハウジング２の入口から取り込んだ外部の空気が前記フィルタ層６Ｄの中を通過する際に、その外部の空気に含まれている有害なホルマリンミストが、フィルタ層６Ｄに浸透している処理液である亜硫酸ナトリウム水溶液と接触して反応し、無害化される。
【００４０】
フィルタ層６Ｄには、処理液拡散層６Ｅを介して続けて新たな処理液が供給されるため、過剰な処理液は、重力の作用によってフィルタ層６Ｄ内を下方に移動してその下端面から滲出し、フィルタ枠６Ａの下辺部分には設けられた開口部を通して処理液槽１６内に流下して回収される。
【００４１】
一方、第２の湿式フィルタ部材７は、処理液拡散層を有しておらず、第１の湿式フィルタ部材６に用いられているフィルタ層６Ｄと同様な、通気性と液体浸透性を有する不織布を用いたフィルタ層で構成されている。
【００４２】
なお、詳しい説明と図示は省略するが、第２の湿式フィルタ部材７は、前述した第１の湿式フィルタ部材６と同様にして、空気が流通する前後両面に金網が設けられたフィルタ枠内に収容されており、また、使用済みの第２のフィルタ部材７をフィルタ枠とともにフィルタハウジング２の側方に抜き出し、新しいものと交換できるようになっている。  
【００４３】
第２の湿式フィルタ部材７は、第１の湿式フィルタ部材６を通過して処理液で湿っている空気に含まれる処理液を除去するために設けられているもので、第２の湿式フィルタ部材７を空気が通過したときに吸収した処理液は、そのフィルタ層内を重力の作用によって下方に移動し、図２に示すように、第２の湿式フィルタ部材７の下方を越えた位置まで達している処理液槽１６の中に落下して回収される。
【００４４】
また、乾式フィルタ部材８、９は、本実施形態においては、活性炭ないし添着活性炭をフィルタ材としたもので、前段の乾式フィルタ部材８は２枚重ねて用い、後段の乾式フィルタ部材９は前段のものから離して１枚装着してある。
【００４５】
一方、送風機３を内蔵する送風機ハウジング４は、吸音材が内張された箱状に形成されていて、その後部壁面の下部位置には、外部の空気を取り入れるための吸気孔４Ａが設けられている。
【００４６】
また、送風機ハウジング４の前部壁面上部位置には温風排出孔４Ｂが設けられていて、ここには、出口側がフィルタハウジング２内部の空気流路の第１の湿式フィルタ部材６の後面と、第２の湿式フィルタ部材７の前面との間の隙間１８で形成される空間内に連通する温風供給ダクト１９の入口側が連結されている。
【００４７】
図２に示すように、送風機ハウジング４の上面には、送風機３の排気口３Ａを包囲し、内側に吸音材が内張された消音ダクト２０が一体に設けられている。消音ダクト２０にはルーバを備えた空気吹出口２０Ａが設けられている。
【００４８】
次に、前述したように構成されている空気浄化装置１の動作について説明する。
なお、空気浄化装置１を稼働させる前に、空気浄化装置１の処理液槽１６には、予め処理液を図示していない供給口から注入して所定量貯留しておく。
【００４９】
空気浄化装置１に設けられている図示していない電源スイッチが操作されると、送風機３のモータ３Ｂに通電されて送風機３が駆動されるとともに、ポンプ１５の動作が開始される。そうすると、ポンプ１５は、処理液槽１６内の処理液を給液管１７を通じて吸入し、さらに、給液管１４を介して給液ノズル管１３に供給する。
【００５０】
こうして給液ノズル管１３に流入した処理液は、その下部に形成されている、図４に示す複数のノズル孔１３Ａから、第１のフィルタ部材６のフィルタ枠６の上部に形成されている受溝６Ｆ内に流下する。
【００５１】
受溝６Ｆ内に供給された処理液はさらに、その下部長手方向に連続するスリット６Ｇを通って、第１の湿式フィルタ部材６の上面に露出している処理液拡散層６Ｅの上に流下する。
【００５２】
なお、本実施形態のものにおいては、受溝６はその横断面形状において上部の幅が広く、スリット６Ｇの部分が狭くなっていて、複数のノズル孔１３Ａから流下してきた処理液はここに一時的に貯留されるため、スリット６Ｇから流出する処理液の量は、その長手方向に略一様になる。
【００５３】
こうして、処理液拡散層６Ｅの上端に供給された処理液は、この層内を重力の作用で下方に移動しつつ全体に拡散し、さらに、これに隣接する前後のフィルタ層６Ｄ内に浸透する。
【００５４】
一方、送風機３の動作によって入口２Ａからフィルタハウジング２内部に取り込まれた外部の空気は、その前面を覆っている金網６Ｂから第１の湿式フィルタ部材６内に流入するが、その内部を通過する間に、フィルタ層６Ｄ及び処理液拡散層６Ｅ内に浸透している処理液と接触する。
【００５５】
その結果、外部から取り込まれた空気に含まれているホルマリンのミストは、処理液中の亜硫酸ナトリウムと化学反応して無毒化され、第１の湿式フィルタ部材６を通過した空気は、第２の湿式フィルタ部材７との隙間１８の空間に流入する。
【００５６】
この隙間１８の空間は、この実施形態のものにおいては、前述したように温風供給ダクト１９によって送風機ハウジング４内部と連通しており、また、第１の湿式フィルタ部材６を空気が通過する際の流動抵抗による圧力降下分だけ大気圧より圧力が低くなっているため、送風機ハウジング４内部の空気が温風供給ダクト１９を通して前記隙間１８内の空間に流入する。
【００５７】
送風機ハウジング４内部の空気は、送風機３のモータ３Ｂの発熱によって温められているため、この高温の空気を前記隙間１８内に流入させることによって、第１の湿式フィルタ部材６を通過して湿った空気の相対湿度を下げることができる。
【００５８】
一方、送風機ハウジング４内部の空気が温風排出口４Ｂから温風供給ダクト１９へ吸い出されることによって、送風機ハウジング４内にはその後端に設けられている吸気孔４Ａから外部の新たな空気が自然に流入してくるため、モータ３Ｂの発熱で送風機ハウジング４内の温度が過度に上昇することはない。
【００５９】
こうして、第１の湿式フィルタ部材６を通過した空気は、送風機ハウジング４内の空気と合流して第２の湿式フィルタ部材７を通過する。この過程で、第２の湿式フィルタ部材７は、空気中に僅かに残留する処理液を捕捉して取り除く。
【００６０】
なお、第１の湿式フィルタ部材６後面と第２の湿式フィルタ部材７の前面とは、隙間１８によって隔離されているため、第１の湿式フィルタ部材６の後面にフィルタ層６Ｄの内部から浸みだしてきた余剰の処理液は、この後面に沿って処理液槽１６に流下して回収され、これが第２の湿式フィルタ部材７側に伝って濡らしてしまうようなことはない。
【００６１】
また、第１の湿式フィルタ部材６には、空気浄化装置１の稼動中はポンプ１５によって連続的に処理液が供給され続けているため、当該湿式フィルタ部材６内部の余剰な処理液は、重力の作用でそのフィルタ層６Ｄや処理液拡散層６Ｅの下端面から滲出し、下方の処理液槽１６内に流下して回収され、繰り返し使用される。
【００６２】
また、第２の湿式フィルタ部材７内に吸収された処理液の水分についても、重力の作用で徐々に下方に移動してその下面に滲出し、処理液槽１６内に流下して回収される。
【００６３】
第１の湿式フィルタ部材７を通過した空気は、さらに乾式フィルタ部材８、９を通過する。これらの乾式フィルタ部材８、９は、主に、第１及び第２の湿式フィルタ部材６、７を通過する過程で除去できなかった微量のホルマリンや水分除去するために設けているものであって、ホルマリンを除去する目的では、添着活性炭を用いることが望ましい。
【００６４】
こうして、最下流側の乾式フィルタ部材９を通過して浄化された空気は、フィルタハウジング２内の空気流路の出口２Ｂから連結管５を通して送風機３に吸い込まれ、その排気口３Ａから消音ダクト２０を通して空気吹出口２０Ａから外部に排出される。
【００６５】
なお、前述した実施形態における空気浄化装置１は、第２の湿式フィルタ部材７の後方に乾式フィルタ部材８、９を組み込んでいるが、乾式フィルタ部材は１枚でもよく、また、乾式フィルタ部材は省略して、濾過フィルタを第１と第２の湿式フィルタ部材６、７のみで構成してもよい。
【００６６】
さらに、前述した実施形態のものにおいては、第１の湿式フィルタ部材６に一層の処理液拡散層６Ｅを組み込んでいるが、本発明はこれに限定するものではなく、第１の湿式フィルタ部材は、処理液拡散層をその前面寄りの部分に、当該フィルタ部材の前面に平行な複数層を挟み込んだ積層体として構成してもよい。なお、この場合には、処理液供給部は、第１の湿式フィルタ部材の上端面に露出したこれら全ての処理液拡散層に処理液を分散供給できる構造とすることが望ましい。
【００６７】
また、前述した実施形態の場合、下方の処理液槽１６内に貯留された処理液をポンプ１５で汲み上げて処理液供給部としての給液ノズル管に供給して循環使用するようにしているが、処理液槽に回収した処理液は再使用しないで廃棄し、処理液供給部からは、第１の湿式フィルタ部材へ常に新たな処理液を供給する構造としてもよい。
【００６８】
また、第１の湿式フィルタ部材が良好な通気性や液体浸透性に加えて、その一部に浸透した水分を速やかに全体に拡散する機能を有するフィルタ材料で製作されている場合には、処理液拡散層を省略した構造としてもよい。この場合、処理液供給部は、第１の湿式フィルタ部材上端面全体に亘って処理液を均一に供給できる構造とすることが望ましい。
【００６９】
また、前述した実施形態における空気浄化装置１においては、ホルマリンミストを含んだ空気からホルマリンを除去して無毒化するために、処理液として亜硫酸ナトリウム水溶液を用いているが、本発明の空気浄化装置に使用する処理液はこれに限定するものではなく、空気中に浮遊する物質の種類に応じて様々な処理液を用いることにより、例えば、塩酸や硫酸ミスト等、種々の有害物質が含まれる空気を効率良く浄化することができる。
【００７０】
さらに、前述した実施形態における空気浄化装置１は、送風機ハウジング４内で温められた空気を温風供給ダクト１９を通して第１の湿式フィルタ部材６と第２の湿式フィルタ部材７との隙間１８で形成される空間内に導入しているが、温風供給ダクト１９は必ずしも設けなくてもよい。
【００７１】
この場合、フィルタハウジング２の入口２Ａからの空気流入量が増加して第１の湿式フィルタ部材６における濾過効率を高めることができるが、第１の湿式フィルタ部材６の下流側で空気の湿度が高くなってしまうので、必要に応じて前記隙間１８内に電熱ヒータ等の加熱手段を付設して通過する空気の温度を高め、その相対湿度を低下させるようにしてもよい。また、送風機ハウジング４内は、外部の空気を流通させる等の方法により適宜温度上昇を抑えるようにすることが望ましい。
【００７２】
なお、温風供給ダクト１９を用いない場合には、送風機３を濾過フィルタが設けられている空気流路末端側、すなわち、フィルタハウジング２の出口側に連結する代わりに、当該空気流路の始端側、すなわち入口２Ａ側に送風機３の排気口を連結してもよい。
【００７３】
また、この実施形態のものにおいては、送風手段として、モータ３Ｂが一体に設けられている構造の送風機３を用いているが、送風手段はこれに限定するものではなく、例えば送風ファンを内蔵する送風機本体とモータとを離れた位置に配置し、モータの回転をベルト伝動等によってを送風機本体の送風ファンに伝達するようにしてもよい。
【産業上の利用可能性】
【００７４】
本発明の空気浄化装置は、通常の空気浄化装置では浄化できない有害物質が発生する室内、例えば、ホルマリンを使用する解剖室内や、塩酸や硫酸ミスト等が発生する種々の実験室内の空気を無害化するための空気浄化装置として、広く利用することが可能である。
【符号の説明】
【００７５】
１        空気浄化装置
２        フィルタハウジング
２Ａ      入口
２Ｂ      出口
３        送風機（送風手段）
３Ｂ      モータ
３Ａ      排気口
４        送風機ハウジング
４Ａ      吸気孔
４Ｂ      温風排出孔４Ｂ
５        連結管
６        第１の湿式フィルタ部材
６Ａ      フィルタ枠
６Ｂ      金網
６Ｃ      シール部材
６Ｄ      フィルタ層
６Ｅ      処理液拡散層
６Ｆ      受溝
６Ｇ      スリット
７        第２の湿式フィルタ部材
８、９    乾式フィルタ部材
１０        フィルタ保持部
１１        蓋
１２        フィルタ枠受部
１３        給液ノズル管（処理液供給部）
１３Ａ      ノズル孔
１４、１７  給液管
１５        ポンプ
１６        処理液槽
１８        隙間
１９        温風供給ダクト
２０        消音ダクト
２０Ａ      空気吹出口
【図１】
2011072718.tif 000003
【図２】
2011072718.tif 000004
【図３】
2011072718.tif 000005
【図４】
2011072718.tif 000006